(57)【要約】【課題】偽造を効果的に防止できる磁気記録媒体のＩＤ認証システム及びＩＤ割り当て方法を提供する。【解決手段】磁気記録媒体をＭＲヘッドＨにより再生し、サーマルアスペリティ或いはサーマルクールに関するデータを予め取得するデータ取得手段１２と、取得した前記データを一定の規則に基づいて符号化し、磁気記録媒体個々のＩＤデータとして出力するデータ符号化手段１３と、前記ＩＤデータをＩＤ記録媒体３１に記録するＩＤデータ記録手段１４と、磁気記録媒体をＭＲヘッドＨにより再生して得られるサーマルアスペリティ或いはサーマルクールに関する再生データと、前記ＩＤ記録媒体３１に記録したＩＤデータとを照合するＩＤデータ照合手段と、を備える磁気記録媒体のＩＤ認証システムとした。【選択図】  図２
2004178714.tif 000002
【特許請求の範囲】
【請求項１】
磁気記録媒体を磁気抵抗効果型ヘッドにより再生し、サーマルアスペリティ或いはサーマルクールに関するデータを予め取得するデータ取得手段と、
取得した前記データを一定の規則に基づいて符号化し、磁気記録媒体個々のＩＤデータとして出力するデータ符号化手段と、
前記ＩＤデータをＩＤ記録媒体に記録するＩＤデータ記録手段と、
磁気記録媒体を磁気抵抗効果型ヘッドにより再生して得られるサーマルアスペリティ或いはサーマルクールに関する再生データと、前記ＩＤ記録媒体に記録したＩＤデータとを照合するＩＤデータ照合手段と、
を備えることを特徴とする磁気記録媒体のＩＤ認証システム。
【請求項２】
カートリッジケースの内部に、磁気記録媒体である磁気テープを収装した磁気テープカートリッジに関し、
前記ＩＤ記録媒体を、前記カートリッジケース内に収装したカートリッジメモリとすることを特徴とする請求項１に記載の磁気記録媒体のＩＤ認証システム。
【請求項３】
磁気記録媒体を磁気抵抗効果型ヘッドにより再生してサーマルアスペリティ或いはサーマルクールに関するデータを取得し、
取得した前記データを一定の規則に基づいて符号化して磁気記録媒体個々のＩＤデータとすることを特徴とする磁気記録媒体のＩＤ割り当て方法。
【発明の詳細な説明】
【０００１】
【発明の属する技術分野】
本発明は、磁気テープや磁気ディスク等の磁気記録媒体のＩＤ認証システム及びＩＤ割り当て方法に関するものである。
【０００２】
【従来の技術】
コンピュータ等の外部記憶装置に用いられる磁気記録媒体としては、カートリッジケース内に磁気テープを収装した、いわゆる磁気テープカートリッジが挙げられ、その一例が特許文献１に開示されている。この特許文献１には、磁気テープに関する情報を記録しておくべくメモリ素子（以降、カートリッジメモリという）を設ける構成が記載されている。カートリッジメモリに記録する情報としては、磁気テープの種類や製造ロット番号、製造年月日等が一般的であり、また、これらの情報に加えて固有のＩＤ番号等のデータが予め付加されていることで、磁気テープカートリッジ個々のＩＤとして利用されている。
【０００３】
【特許文献１】
特開平１１−１８５４３１号公報（第２頁、図１）
【０００４】
【発明が解決しようとする課題】
しかしながら、前記した磁気テープの種類や製造ロット番号、製造年月日、或いは固有のＩＤ番号等のデータの書き換えは比較的容易に行えることから、これらのデータを利用したＩＤシステムでは、例えばデータの書き換えにより磁気テープカートリッジが偽造された際に対応が不十分となるおそれがある。また、このＩＤシステムでは、カートリッジメモリ内のデータを書き換えずとも同一の磁気テープと認識するおそれがある。例えば、ある磁気テープカートリッジ（マスターテープ）を他者に貸し出した場合を想定すると、他者が、借りたものとは別の磁気テープカートリッジ（コピーテープ）に、借りた磁気テープカートリッジ（マスターテープ）のカートリッジメモリを入れ換えて返却した場合、貸し出した者は貸した磁気テープカートリッジ（マスターテープ）が返却されてきたものと認識する可能性があり、このように従来のＩＤシステムは、厳密なＩＤ認識という観点からすると、信頼性が十分であるとは言えないものであった。
【０００５】
ここで、従来、磁気テープに記録されている信号を再生するための磁気ヘッドとしては、磁気抵抗効果を応用した磁気抵抗効果型のヘッド（ＭＲヘッド）が多用されている。このＭＲヘッドは外部磁界の変動に応じて電気抵抗が変化する素子（磁気抵抗効果素子）を備えており、この磁気抵抗効果素子で磁気テープに磁場として記録されている信号を抵抗値に変換する。具体的には、磁気テープの再生時に、磁気抵抗効果素子に定電流であるセンス電流を流し、磁気抵抗効果素子の電気抵抗値の変化を電圧の変化分として取り出すことで、磁気テープの信号を読み出す。
【０００６】
前記ＭＲヘッドの磁気抵抗効果素子は温度変化により特性が変化しやすいため、磁気テープの再生時に、磁気抵抗効果素子と磁気テープの記録面に存在する微細な突起部とが衝突すると、磁気抵抗効果素子と磁気テープとの間に摩擦熱が発生し、この摩擦熱によって磁気抵抗効果素子の温度が局部的に急上昇して抵抗値が瞬時に変化し、再生信号に歪み波形が生じるという現象が起きる。この現象は「サーマルアスペリティ」と呼ばれる。
【０００７】
また、前記突起部がＭＲヘッドと磁気テープのスペーシング量よりも小さく、この突起部が磁気抵抗効果素子と衝突しないで通過した場合、気流が変化することによって（上昇気流になりやすい）、磁気抵抗効果素子が局部的に冷却され、出力が低下するという現象が起きることがある。この場合も抵抗値が瞬時に変化して再生信号に歪み波形が生じやすく、この現象は一般に「サーマルクール」と呼ばれている。
【０００８】
サーマルアスペリティ及びサーマルクールは以上のように、磁気テープ等の磁気記録媒体の記録面に形成された極めて微細な突起部に起因して生ずるものであるが、本来これらの突起部は磁気記録媒体の品質からすれば形成されてはならないものである。しかしながら、突起部を完全に無くすことは製造技術上極めて難しく、品質の許容範囲内において突起部はその数や程度がランダムに形成されているのが実情である。そして、サーマルアスペリティ及びサーマルクールは、磁気記録媒体の繰り返し再生においても良好な再現性が得られるということが知られている。
【０００９】
本出願人はこのサーマルアスペリティ或いはサーマルクールの特性に着目し、偽造が極めて困難な磁気記録媒体のＩＤ認証システム及びＩＤ割り当て方法を提供するものである。
【００１０】
【課題を解決するための手段】
本発明は前記課題を解決するために、磁気記録媒体を磁気抵抗効果型ヘッドにより再生し、サーマルアスペリティ或いはサーマルクールに関するデータを予め取得するデータ取得手段と、取得した前記データを一定の規則に基づいて符号化し、磁気記録媒体個々のＩＤデータとして出力するデータ符号化手段と、前記ＩＤデータをＩＤ記録媒体に記録するＩＤデータ記録手段と、磁気記録媒体を磁気抵抗効果型ヘッドにより再生して得られるサーマルアスペリティ或いはサーマルクールに関する再生データと、前記ＩＤ記録媒体に記録したＩＤデータとを照合するＩＤデータ照合手段と、を備える磁気記録媒体のＩＤ認証システムを構成した。
【００１１】
当該構成によれば、磁気テープを磁気抵抗型のヘッドで再生したときに計測して得られるサーマルアスペリティ或いはサーマルクールの再生データ（パラメータ）は、磁気テープ固有の物理的特性によるものであることから、このパラメータと一致するＩＤデータを偽造することは非常に困難となる。これにより、偽造が極めて困難な磁気記録媒体のＩＤ認証システムが構築される。
【００１２】
また、カートリッジケースの内部に、磁気記録媒体である磁気テープを収装した磁気テープカートリッジに関し、前記ＩＤ記録媒体を、前記カートリッジケース内に収装したカートリッジメモリとする磁気記録媒体のＩＤ認証システムを構成すれば、製造者や製造番号等の磁気テープカートリッジに関する製造情報や、使用者や使用日時などの使用履歴情報等、従来のカートリッジメモリに記録されているデータを読み込む回路と、ＩＤデータを読み込む回路の共用化が計れ、簡易なＩＤ認証システムとなる。
【００１３】
また、磁気記録媒体を磁気抵抗効果型ヘッドにより再生してサーマルアスペリティ或いはサーマルクールに関するデータを取得し、取得した前記データを一定の規則に基づいて符号化して磁気記録媒体個々のＩＤデータとすることを特徴とする磁気記録媒体のＩＤ割り当て方法を構成すれば、磁気テープを磁気抵抗型のヘッドで再生したときに計測して得られるサーマルアスペリティ或いはサーマルクールの再生データ（パラメータ）は、磁気テープ固有の物理的特性によるものであることから、このパラメータと一致するＩＤデータを偽造することは非常に困難となる。これにより、偽造が極めて困難な磁気記録媒体のＩＤ割り当て方法が構築される。
【００１４】
【発明の実施の形態】
以下、本発明を磁気テープカートリッジに適用した場合について説明する。図４に示した磁気テープカートリッジＭＣはいわゆるＬＴＯ規格に準拠したものであり、下ハーフ１Ａと上ハーフ１Ｂとに分割して構成されたカートリッジケース１の内部に、磁気記録媒体である磁気テープＭＴが巻装された単一のリール２、磁気テープＭＴをカートリッジケース１から引き出すためのリーダピン１０、リール２の回転をロックするためのロックプレート３及び圧縮コイルばね４、リール２のロック状態を解除するためのリリースパッド５、下ハーフ１Ａ及び上ハーフ１Ｂに跨ってカートリッジケース１に形成された磁気テープ引出口１Ｃを開閉するスライドドア６、スライドドア６を磁気テープ引出口１Ｃの閉位置に付勢するねじりコイルばね７、誤消去防止爪８、カートリッジメモリ９等を組み込んで構成されている。
【００１５】
本発明に係る磁気記録媒体のＩＤ認証システム１１は、図１に示すように、磁気テープを磁気抵抗効果型ヘッド（以降、ＭＲヘッドという）Ｈ（図２）により再生し、サーマルアスペリティ或いはサーマルクールに関するデータを予め取得するデータ取得手段１２と、取得した前記データを一定の規則に基づいて符号化し、磁気テープ個々のＩＤデータとして出力するデータ符号化手段１３と、前記ＩＤデータをＩＤ記録媒体３１（図２）に記録するＩＤデータ記録手段１４と、磁気テープをＭＲヘッドＨにより再生して得られるサーマルアスペリティ或いはサーマルクールに関する再生データと、ＩＤ記録媒体３１（図２）に記録したＩＤデータとを照合するＩＤデータ照合手段１５とを備える。
【００１６】
図２はデータ取得手段１２、データ符号化手段１３及びＩＤデータ記録手段１４の回路構成を示すブロック図、図３は磁気テープをＭＲヘッドにより無記録再生した際の再生信号を示す図であり、（ａ）はサーマルアスペリティが発生したときの信号波形を、（ｂ）はサーマルクールが発生したときの信号波形を示す。これらの図を参照して説明すると、磁気テープをＭＲヘッドＨにより例えば無記録再生した際に再生回路１６により再生信号が得られ、サーマルアスペリティが発生したときには図３（ａ）に示すように温度上昇に伴ってプラス電圧側に山形となる信号波形が生じ、サーマルクールが発生したときには図３（ｂ）に示すように温度降下に伴ってマイナス電圧側に山形となる信号波形が生じる。
【００１７】
前記信号波形は、ピーク検出回路１７、波形カウント回路１８、立上り時間測定回路１９、立下り時間測定回路２０、ＰＷ５０測定回路２１、波形発生時間測定回路２２等からなるデータ取得手段１２により、サーマルアスペリティ及びサーマルクールに関するデータとして各パラメータが計測される。すなわち、ピーク検出回路１７は信号波形のピーク電圧値Ｖｐ−ｐを、波形カウント回路１８は磁気テープの計測範囲における信号波形の発生数（カウント数）を、立上り時間測定回路１９はピーク電圧値Ｖｐ−ｐに達するまでの立上り時間ｔｕｐを、立下り時間測定回路２０はピーク電圧値Ｖｐ−ｐからの立下り時間ｔｄｏｗｎを、ＰＷ５０測定回路２１は、波形の立上り時及び立下り時におけるピーク電圧値Ｖｐ−ｐの半分の電圧値間に要する時間ＰＷ５０を、波形発生時間測定回路２２は磁気テープの計測範囲における信号波形の発生時間ｔ１、言い換えると信号波形の発生位置を計測する。
【００１８】
なお、磁気テープにおけるサーマルアスペティ及びサーマルクールの計測範囲については、勿論、テープの全長にわたる必要はなく、例えばテープの先端側（前記リーダピン１０（図４）の付いた側）において適宜な距離だけ行えば良い。
【００１９】
前記各回路によって計測された複数のパラメータは、一定の規則に基づいて符号化されて磁気テープ個々のＩＤデータとして、つまり図４に示した磁気テープカートリッジＭＣの個々を特定するＩＤデータとして出力され、ＩＤ記録媒体３１に記録される。ＩＤ記録媒体３１としては前記したカートリッジメモリ９が望ましい。カートリッジメモリ９はＩＣを内蔵した非接触式のメモリチップであって、製造者や製造番号等の磁気テープカートリッジＭＣに関する製造情報や、使用者や使用日時などの使用履歴情報等が記録されるものである。したがって、前記したＩＤデータもこのカートリッジメモリ９に記録することで、カートリッジメモリ９から各データを読み込む際の回路構成の共用化が計れることとなり、簡易なＩＤ認証システムを構築できる。
【００２０】
そして、例えば使用者側のコンピュータに前記したピーク検出回路１７、波形カウント回路１８、立上り時間測定回路１９、立下り時間測定回路２０、ＰＷ５０測定回路２１、波形発生時間測定回路２２等を備えておけば、当該コンピュータで磁気テープカートリッジＭＣ（磁気テープＭＴ）を再生した際に、前記各回路で得られるパラメータと、カートリッジメモリ９から読み込んだＩＤデータとを照合することで磁気テープカートリッジＭＣ（磁気テープＭＴ）が正規のものであるか否か判別できる。
【００２１】
特に偽造の観点からみると、カートリッジメモリ９に記録したＩＤデータの書き換えの行為自体は比較的容易に行えるものの、ＭＲヘッドで再生したときに計測して得られるサーマルアスペリティ或いはサーマルクールのパラメータは、磁気テープ固有の物理的特性によるものであることから、このパラメータと一致するＩＤデータを偽造することは非常に困難である。このように本発明によれば、偽造が極めて困難な磁気記録媒体のＩＤ認証システム及びＩＤ割り当て方法が構築されることとなる。
【００２２】
なお、ＩＤデータを記録するＩＤ記録媒体３１としては、磁気テープＭＴの一部分としても良いし、使用者側のコンピュータのハードディスクドライブ装置等であっても良い。特に、後者の場合、例えば他者に貸し出していた磁気テープカートリッジＭＣが返却されてきた際、この返却された磁気テープカートリッジＭＣを再生して得られるパラメータと、ハードディスクドライブ装置等に記録しておいたＩＤデータとを照合することで、貸し出したものと同一のものであるか否かが容易に判別できることとなる。
【００２３】
以上、本発明について好適な実施形態を説明した。説明した形態では、ＩＤデータとして、信号波形のピーク電圧値Ｖｐ−ｐ、信号波形の発生数（カウント数）、信号波形の立上り時間ｔｕｐ及び立下り時間ｔｄｏｗｎ、時間ＰＷ５０、信号波形の発生時間ｔ１を例としたが、場合によっては、これらパラメータの内の少なくともいずれか一つをＩＤデータとしても良い。但し、偽造の観点及びＭＲヘッドにより再生した際のサーマルアスペリティ或いはサーマルクールに関する再現性（誤差）を考慮した場合、本実施形態のように複数のパラメータをＩＤデータとして用いた方がＩＤ認証の精度が向上するため、望ましい。
【００２４】
また、サーマルアスペリティ或いはサーマルクールに関するデータであれば、前記したパラメータ以外のものでもＩＤデータとして利用できる。また、本発明の対象となる磁気記録媒体としては、磁気テープの他、磁気ディスク等も適用される。さらに、一般にサーマルアスペリティの発生頻度の方がサーマルクールよりも多いことから、例えばサーマルアスペリティのみに関するデータをＩＤデータとしても良い。
【００２５】
【発明の効果】
本発明によれば、偽造が極めて困難な磁気記録媒体のＩＤ認証システム及びＩＤ割り当て方法が構築される。また、サーマルアスペリティ或いはサーマルクールの現象は、磁気記録媒体固有の特性であり、その程度によっては品質上好ましくない場合もあり得る。したがって、サーマルアスペリティ或いはサーマルクールに関するデータをＩＤデータとする構成は、製品の品質管理面においても有効であり、例えば磁気記録媒体としての使用可否の判断基準として利用できる。
【図面の簡単な説明】
【図１】本発明に係る磁気記録媒体のＩＤ認証システムの構成ブロック図である。
【図２】データ取得手段、データ符号化手段及びＩＤデータ記録手段の回路構成を示すブロック図である。
【図３】磁気テープをＭＲヘッドにより無記録再生した際の再生信号を示す図であり、（ａ）はサーマルアスペリティが発生したときの信号波形を、（ｂ）はサーマルクールが発生したときの信号波形を示す。
【図４】磁気テープカートリッジの構成分解図である。
【符号の説明】
ＭＣ      磁気テープカートリッジ
ＭＴ      磁気テープ
Ｈ      ＭＲヘッド（磁気抵抗効果型ヘッド）
９      カートリッジメモリ
１１      ＩＤ認証システム
１２      データ取得手段
１３      データ符号化手段
１４      ＩＤデータ記録手段
１５      ＩＤデータ照合手段
３１      ＩＤ記録媒体
【図１】
2004178714.tif 000003
【図２】
2004178714.tif 000004
【図３】
2004178714.tif 000005
【図４】
2004178714.tif 000006